(57)【要約】【課題】効果的に回遊を促進することができる回遊促進支援装置、回遊促進支援システム、及びプログラムを得る。【解決手段】回遊促進支援装置１０は、回遊の対象地（スポット）に対する対象者の実際の行動による当該対象地に対する興味の度合いを示す物理量を取得する取得部２１と、取得部２１によって取得された物理量を用いて、対象者の対象地に対する評価値を導出する導出部２２と、導出部２２によって導出された評価値を、他者が参照可能な状態で記憶部１３に登録する登録部２３と、を備える。【選択図】図２
2020109600.tif 000002
【特許請求の範囲】
【請求項１】
回遊の対象地に対する対象者の実際の行動による当該対象地に対する興味の度合いを示す物理量を取得する取得部と、
前記取得部によって取得された前記物理量を用いて、前記対象者の前記対象地に対する評価値を導出する導出部と、
前記導出部によって導出された前記評価値を、他者が参照可能な状態で記憶部に登録する登録部と、
を備えた回遊促進支援装置。
【請求項２】
前記物理量は、前記対象者の前記対象地における滞在時間、前記対象地までの所定の起点場所からの距離、及び前記対象地までの前記起点場所からの移動時間の少なくとも１つを含む、
請求項１に記載の回遊促進支援装置。
【請求項３】
前記導出部は、前記評価値を、前記滞在時間、前記距離、及び前記移動時間の何れか１つ、又は複数の組み合わせを用いて導出する、
請求項２に記載の回遊促進支援装置。
【請求項４】
前記導出部は、前記登録部により複数の前記対象者に対応して登録された複数の前記評価値を用いて、前記複数の対象者による総合的な評価値である総合評価値を更に導出し、
前記登録部は、前記導出部によって導出された前記総合評価値を他者が参照可能な状態で前記記憶部に更に登録する、
請求項１から請求項３の何れか１項に記載の回遊促進支援装置。
【請求項５】
前記対象者からの、前記評価値に対する調整指示、前記対象地についてのコメント、及び前記対象地に関するスポットを推薦するコメントの少なくとも１つの情報を受け付ける受付部を更に備え、
前記登録部は、前記受付部によって受け付けられた情報を、他者が参照可能な状態で前記記憶部に更に登録する、
請求項１から請求項４の何れか１項に記載の回遊促進支援装置。
【請求項６】
前記受付部によって受け付けられた情報に応じて、前記対象者にインセンティブを付与する付与部、
を更に備えた請求項５に記載の回遊促進支援装置。
【請求項７】
請求項１から請求項６の何れか１項に記載の回遊促進支援装置と、
前記回遊促進支援装置の前記取得部に前記物理量を送信する送信部、及び前記回遊促進支援装置の前記登録部によって登録された情報を表示部に表示する制御を行う表示制御部、を備えた端末と、
を含む回遊促進支援システム。
【請求項８】
回遊の対象地に対する対象者の実際の行動による当該対象地に対する興味の度合いを示す物理量を取得し、
取得した前記物理量を用いて、前記対象者の前記対象地に対する評価値を導出し、
導出した前記評価値を、他者が参照可能な状態で記憶部に登録する、
処理をコンピュータに実行させるためのプログラム。
【発明の詳細な説明】
【技術分野】
【０００１】
本発明は、回遊促進支援装置、回遊促進支援システム、及びプログラムに関する。
【背景技術】
【０００２】
近年、紀行番組、グルメ番組、街歩き番組（所謂街ブラ番組）等の各地のスポットを紹介するテレビ番組が数多く放送されており、その影響もあって、身近なスポットや遠方地のスポット等の意外な名所や一面を再発見したいという要望が高まっている。
【０００３】
この要望に応えるために適用することができる技術として、従来、ユーザにより決定された地点の位置情報に基づいて、当該地点に関連する地物を特徴付ける地物特徴情報を取得し、上記ユーザ以外の第三者から送信された第三者情報が記録されているネットワークシステムに、取得した地物特徴情報を送信する技術が開示されている（特許文献１参照）。
【０００４】
この技術では、送信した地物特徴情報に関連した関連情報が、上記記録された第三者情報の中から抽出されて送信されてきたとき、当該送信されてきた関連情報をユーザに提示している。このため、この技術によれば、ユーザが全く認識しない施設等に関する情報を、そのユーザが決定した地点に対応させて認識することができる。
【先行技術文献】
【特許文献】
【０００５】
【特許文献１】特開２０１５−１１５５０号公報
【発明の概要】
【発明が解決しようとする課題】
【０００６】
ところで、都市、観光地等の各地においては、地域の活性化のために、地元の住民のみならず、遠方の人々にも多数回遊してもらうことが極めて重要である。
【０００７】
これに対して、特許文献１に記載の技術では、ユーザに対して意外な情報を提示することはできるものの、必ずしも効果的に回遊を促進することができるとは限らなかった。
【０００８】
本発明は、以上の事情を鑑みて成されたものであり、効果的に回遊を促進することができる回遊促進支援装置、回遊促進支援システム、及びプログラムを提供することを目的とする。
【課題を解決するための手段】
【０００９】
請求項１に記載の本発明に係る回遊促進支援装置は、回遊の対象地に対する対象者の実際の行動による当該対象地に対する興味の度合いを示す物理量を取得する取得部と、前記取得部によって取得された前記物理量を用いて、前記対象者の前記対象地に対する評価値を導出する導出部と、前記導出部によって導出された前記評価値を、他者が参照可能な状態で記憶部に登録する登録部と、を備える。
【００１０】
請求項１に記載の本発明に係る回遊促進支援装置によれば、対象者の実際の行動による対象地に対する興味の度合いを示す物理量を用いて導出された評価値を、他者が参照可能な状態で登録することで、効果的に回遊を促進することができる。
【００１１】
請求項２に記載の本発明に係る回遊促進支援装置は、請求項１に記載の回遊促進支援装置であって、前記物理量は、前記対象者の前記対象地における滞在時間、前記対象地までの所定の起点場所からの距離、及び前記対象地までの前記起点場所からの移動時間の少なくとも１つを含む。
【００１２】
請求項２に記載の本発明に係る回遊促進支援装置によれば、物理量を、対象者の対象地における滞在時間、対象地までの所定の起点場所からの距離、及び対象地までの起点場所からの移動時間の少なくとも１つとすることで、物理量として対象者の興味の度合いを示す定性的な物理量を用いる場合に比較して、より簡易に評価値を導出することができる。
【００１３】
請求項３に記載の本発明に係る回遊促進支援装置は、請求項２に記載の回遊促進支援装置であって、前記導出部は、前記評価値を、前記滞在時間、前記距離、及び前記移動時間の何れか１つ、又は複数の組み合わせを用いて導出する。
【００１４】
請求項３に記載の本発明に係る回遊促進支援装置によれば、評価値を、上記滞在時間、上記距離、及び上記移動時間の何れか１つ、又は複数の組み合わせを用いて導出することで、何れか１つを用いる場合は、より簡易に、複数の組み合わせを用いる場合は、より高精度に、各々評価値を導出することができる。
【００１５】
請求項４に記載の本発明に係る回遊促進支援装置は、請求項１から請求項３の何れか１項に記載の回遊促進支援装置であって、前記導出部は、前記登録部により複数の前記対象者に対応して登録された複数の前記評価値を用いて、前記複数の対象者による総合的な評価値である総合評価値を更に導出し、前記登録部は、前記導出部によって導出された前記総合評価値を他者が参照可能な状態で前記記憶部に更に登録する。
【００１６】
請求項４に記載の本発明に係る回遊促進支援装置によれば、複数の対象者に対応して登録された複数の評価値を用いて、上記複数の対象者による総合的な評価値である総合評価値を更に導出して他者が参照可能な状態で登録することで、より精度の高い評価値を参照することができるようになる結果、より効果的に回遊を促進することができる。
【００１７】
請求項５に記載の本発明に係る回遊促進支援装置は、請求項１から請求項４の何れか１項に記載の回遊促進支援装置であって、前記対象者からの、前記評価値に対する調整指示、前記対象地についてのコメント、及び前記対象地に関するスポットを推薦するコメントの少なくとも１つの情報を受け付ける受付部を更に備え、前記登録部は、前記受付部によって受け付けられた情報を、他者が参照可能な状態で前記記憶部に更に登録する。
【００１８】
請求項５に記載の本発明に係る回遊促進支援装置によれば、対象者からの、評価値に対する調整指示、対象地についてのコメント、及び対象地に関連するスポットを推薦するコメントの少なくとも１つの情報を受け付け、受け付けた情報を、他者が参照可能な状態で記憶部に更に登録することで、より効果的に回遊を促進することができる。
【００１９】
請求項６に記載の本発明に係る回遊促進支援装置は、請求項５に記載の回遊促進支援装置であって、前記受付部によって受け付けられた情報に応じて、前記対象者にインセンティブを付与する付与部、を更に備えている。
【００２０】
請求項６に記載の本発明に係る回遊促進支援装置によれば、受け付けた情報に応じて、対象者にインセンティブを付与することで、より効果的に回遊を促進することができる。
【００２１】
請求項７に記載の本発明に係る回遊促進支援システムは、請求項１から請求項６の何れか１項に記載の回遊促進支援装置と、前記回遊促進支援装置の前記取得部に前記物理量を送信する送信部、及び前記回遊促進支援装置の前記登録部によって登録された情報を表示部に表示する制御を行う表示制御部、を備えた端末と、を含む。
【００２２】
請求項７に記載の本発明に係る回遊促進支援システムによれば、対象者の実際の行動による対象地に対する興味の度合いを示す物理量を用いて導出された評価値を、他者が参照可能な状態で登録することで、効果的に回遊を促進することができる。
【００２３】
請求項８に記載の本発明に係るプログラムは、回遊の対象地に対する対象者の実際の行動による当該対象地に対する興味の度合いを示す物理量を取得し、取得した前記物理量を用いて、前記対象者の前記対象地に対する評価値を導出し、導出した前記評価値を、他者が参照可能な状態で記憶部に登録する、処理をコンピュータに実行させる。
【００２４】
請求項８に記載の本発明に係るプログラムによれば、対象者の実際の行動による対象地に対する興味の度合いを示す物理量を用いて導出された評価値を、他者が参照可能な状態で登録することで、効果的に回遊を促進することができる。
【発明の効果】
【００２５】
以上説明したように、本発明によれば、効果的に回遊を促進することができる。
【図面の簡単な説明】
【００２６】
【図１】実施形態に係る回遊促進支援システムのハードウェア構成の一例を示すブロック図である。
【図２】実施形態に係る回遊促進支援システムの機能的な構成の一例を示すブロック図である。
【図３】実施形態に係る対象領域情報データベースの構成の一例を示す模式図である。
【図４】実施形態に係る対象者情報データベースの構成の一例を示す模式図である。
【図５】実施形態に係る回遊促進端末処理の一例を示すフローチャートである。
【図６】実施形態に係る回遊促進支援処理の一例を示すフローチャートである。
【図７】実施形態に係る初期画面の構成の一例を示す正面図である。
【図８】実施形態に係る指標値表示画面の構成の一例を示す正面図である。
【図９】実施形態に係る評価値表示処理の一例を示すフローチャートである。
【図１０】実施形態に係る総合評価値送信処理の一例を示すフローチャートである。
【図１１】実施形態に係る総合評価値表示画面の構成の一例を示す正面図である。
【発明を実施するための形態】
【００２７】
以下、図面を参照して、本発明を実施するための形態例を詳細に説明する。なお、本実施形態では、本発明を、サーバコンピュータ等により構成された回遊促進支援装置と、各々対象者が個別に用いる端末である複数の対象者端末と、を含む回遊促進支援システムに適用した場合について説明する。
【００２８】
まず、図１及び図２を参照して、本実施形態に係る回遊促進支援システム９０の構成を説明する。図１に示すように、本実施形態に係る回遊促進支援システム９０は、ネットワーク８０に各々アクセス可能とされた、回遊促進支援装置１０と、複数の対象者端末３０と、を含む。なお、回遊促進支援装置１０の例としては、パーソナルコンピュータ及びサーバコンピュータ等の情報処理装置が挙げられる。また、対象者端末３０の例としては、スマートフォン、タブレット端末、ＰＤＡ（Personal Digital Assistant、携帯情報端末）等の携帯型の端末が挙げられる。
【００２９】
本実施形態にかかる対象者端末３０は、回遊促進支援システム９０の利用対象となる複数の対象者が各々所持する端末である。対象者端末３０は、ＣＰＵ（Central Processing Unit）３１、一時記憶領域としてのメモリ３２、不揮発性の記憶部３３、タッチパネル等の入力部３４、液晶ディスプレイ等の表示部３５及び媒体読み書き装置（Ｒ／Ｗ）３６を備えている。また、対象者端末３０は、カメラ３８、マイク３９、ＧＰＳ（Global Positioning Systems）４０、加速度センサ４１及び無線通信部４２を備えている。ＣＰＵ３１、メモリ３２、記憶部３３、入力部３４、表示部３５、媒体読み書き装置３６、カメラ３８、マイク３９、ＧＰＳ４０、加速度センサ４１及び無線通信部４２はバスＢ１を介して互いに接続されている。媒体読み書き装置３６は、記録媒体３７に書き込まれている情報の読み出し及び記録媒体３７への情報の書き込みを行う。
【００３０】
記憶部３３は、ＨＤＤ（Hard Disk Drive）、ＳＳＤ（Solid State Drive）、フラッシュメモリ等によって実現される。記憶媒体としての記憶部３３には、回遊促進端末処理プログラム３３Ａ及び評価値表示処理プログラム３３Ｂが記憶されている。回遊促進端末処理プログラム３３Ａ及び評価値表示処理プログラム３３Ｂは、回遊促進端末処理プログラム３３Ａ及び評価値表示処理プログラム３３Ｂが書き込まれた記録媒体３７が媒体読み書き装置３６にセットされ、媒体読み書き装置３６が記録媒体３７からの回遊促進端末処理プログラム３３Ａ及び評価値表示処理プログラム３３Ｂの読み出しを行うことで、記憶部３３へ記憶される。ＣＰＵ３１は、回遊促進端末処理プログラム３３Ａ及び評価値表示処理プログラム３３Ｂを記憶部３３から読み出してメモリ３２に展開し、回遊促進端末処理プログラム３３Ａ及び評価値表示処理プログラム３３Ｂが各々有するプロセスを順次実行する。
【００３１】
一方、回遊促進支援装置１０は、回遊促進支援システム９０で取り扱う各種情報を統括的に保管して管理する装置である。回遊促進支援装置１０は、ＣＰＵ１１、一時記憶領域としてのメモリ１２、不揮発性の記憶部１３、キーボードとマウス等の入力部１４、液晶ディスプレイ等の表示部１５、媒体読み書き装置１６及び通信インタフェース(Ｉ／Ｆ)部１８を備えている。ＣＰＵ１１、メモリ１２、記憶部１３、入力部１４、表示部１５、媒体読み書き装置１６及び通信Ｉ／Ｆ部１８はバスＢ２を介して互いに接続されている。媒体読み書き装置１６は、記録媒体１７に書き込まれている情報の読み出し及び記録媒体１７への情報の書き込みを行う。
【００３２】
記憶部１３はＨＤＤ、ＳＳＤ、フラッシュメモリ等によって実現される。記憶媒体としての記憶部１３には、回遊促進支援処理プログラム１３Ａ及び総合評価値送信処理プログラム１３Ｂが記憶されている。回遊促進支援処理プログラム１３Ａ及び総合評価値送信処理プログラム１３Ｂは、回遊促進支援処理プログラム１３Ａ及び総合評価値送信処理プログラム１３Ｂが書き込まれた記録媒体１７が媒体読み書き装置１６にセットされ、媒体読み書き装置１６が記録媒体１７からの回遊促進支援処理プログラム１３Ａ及び総合評価値送信処理プログラム１３Ｂの読み出しを行うことで、記憶部１３へ記憶される。ＣＰＵ１１は、回遊促進支援処理プログラム１３Ａ及び総合評価値送信処理プログラム１３Ｂを記憶部１３から読み出してメモリ１２に展開し、回遊促進支援処理プログラム１３Ａ及び総合評価値送信処理プログラム１３Ｂが各々有するプロセスを順次実行する。
【００３３】
また、記憶部１３には、対象領域情報データベース１３Ｃ及び対象者情報データベース１３Ｄが記憶される。対象領域情報データベース１３Ｃ及び対象者情報データベース１３Ｄについては、詳細を後述する。
【００３４】
次に、図２を参照して、本実施形態に係る回遊促進支援装置１０及び対象者端末３０の機能的な構成について説明する。図２に示すように、回遊促進支援装置１０は、取得部２１、導出部２２、登録部２３、受付部２４、及び付与部２５を含む。回遊促進支援装置１０のＣＰＵ１１が回遊促進支援処理プログラム１３Ａ及び総合評価値送信処理プログラム１３Ｂを実行することで、取得部２１、導出部２２、登録部２３、受付部２４、及び付与部２５として機能する。
【００３５】
本実施形態に係る取得部２１は、回遊の対象地（以下、「スポット」という。）に対する対象者の実際の行動による当該スポットに対する興味の度合いを示す物理量を取得する。本実施形態に係る取得部２１では、上記物理量として、対象者のスポットにおける滞在時間、スポットまでの所定の起点場所（本実施形態では、対象者の勤務先の位置）からの距離（以下、「起点距離」という。）、スポットまでの起点場所からの移動時間（以下、「起点移動時間」という。）、及び対象者のスポットにおける歩数の４種類の物理量を適用している。
【００３６】
なお、本実施形態では、起点距離として、起点場所からスポットまでの直線距離を適用しているが、これに限らない。例えば、起点距離として、起点場所からスポットまで移動する場合に通常用いると考えられる各種交通機関や車両、徒歩等により実際に移動する距離を適用する形態としてもよい。また、本実施形態では、起点移動時間として、起点場所からスポットまで移動する場合に通常用いると考えられる各種交通機関や車両、徒歩等により実際に移動する場合に費やされると予想される時間を適用している。但し、この形態に限らず、例えば、起点移動時間として、起点場所からスポットまでの距離を、所定の時速で移動する場合に費やされる時間等を適用する形態としてもよい。
【００３７】
このように、本実施形態では、上記物理量として、滞在時間、起点距離、起点移動時間及び歩数の４種類の物理量を適用しているが、これに限らない。例えば、上記４種類の物理量のうち、何れか１種類の物理量のみを適用する形態としてもよいし、上記４種類の物理量のうち、何れか２種類又は３種類の物理量の組み合わせを適用する形態としてもよい。
【００３８】
また、導出部２２は、取得部２１によって取得された物理量を用いて、対象者のスポットに対する評価値を導出する。本実施形態に係る導出部２２では、上記評価値として、次の３種類の指標値を対象者別に導出する。
【００３９】
即ち、導出部２２は、第１の指標値として、対象者がスポットに対して、わざわざ訪れたとのレベルの高さを示す指標値（以下、「わざわざ度」という。）ＷＤを導出する。本実施形態では、わざわざ度ＷＤを、次の式（１）により整数値（本実施形態では、小数点以下一桁を四捨五入した値）として算出する。式（１）のＰＤは、対象者におけるスポットに対する起点距離を表し、ＭＤは、当該スポットに対応して登録されている起点距離の最大値である最大起点距離を表す。また、式（１）のＰＴは、対象者におけるスポットに対する起点移動時間を表し、ＭＴは、当該スポットに対応して登録されている起点移動時間の最大値である最大起点移動時間を表す。ここで、起点距離ＰＤが、最大起点距離ＭＤを上回っている場合は、当該起点距離ＰＤに最大起点距離ＭＤを置き換える。また、起点移動時間ＰＴが、最大起点移動時間ＭＴを上回っている場合は、当該起点移動時間ＰＴに最大起点移動時間ＭＴを置き換える。
【００４０】
【数１】
2020109600.tif 000003
【００４１】
即ち、式（１）は、起点距離ＰＤの最大起点距離ＭＤに対する割合と、起点移動時間ＰＴの最大起点移動時間ＭＴに対する割合との平均値を、最大値が１０となる１０段階の値に換算した値として算出する。例えば、起点距離ＰＤが４ｋｍであり、最大起点距離ＭＤが１０ｋｍであり、起点移動時間ＰＴが１時間であり、最大起点移動時間ＭＴが２．５時間である場合、わざわざ度ＷＤは、４（＝｛（４／１０）＋（１／２．５）｝×５）となる。
【００４２】
なお、わざわざ度ＷＤを算出する数式は、式（１）には限らない。例えば、式（１）では、起点距離ＰＤ及び起点移動時間ＰＴの２種類の物理量を用いているが、これらのうち１種類のみの物理量を用いる形態としてもよい。また、式（１）では、起点距離ＰＤの最大値に対する割合と、起点移動時間ＰＴの最大値に対する割合と、の単純平均値を用いているが、この単純平均値に代えて、加重平均値を用いる形態としてもよい。
【００４３】
また、導出部２２は、第２の指標値として、対象者がスポットにおいて、どれだけゆったりしていたかのレベルの高さを示す指標値（以下、「ゆったり度」という。）ＹＤを導出する。本実施形態では、ゆったり度ＹＤを、次の式（２）により整数値（本実施形態では、小数点以下一桁を四捨五入した値）として算出する。式（２）におけるＰＶは対象者のスポットにおける滞在時間を表し、ＭＶは、当該スポットに対応して登録されている上記滞在時間の最大値である最大滞在時間を表す。ここで、滞在時間ＰＶが、最大滞在時間ＭＶを上回っている場合は、当該滞在時間ＰＶに最大滞在時間ＭＶを置き換える。
【００４４】
【数２】
2020109600.tif 000004
【００４５】
即ち、式（２）は、滞在時間ＰＶの最大滞在時間ＭＶに対する割合を、最大値が１０となる１０段階の値に換算した値として算出する。例えば、滞在時間ＰＶが０．５時間で、最大滞在時間ＭＶが２時間である場合、ゆったり度ＹＤは、３（＝（０．５／２）×１０）となる。
【００４６】
なお、ゆったり度ＹＤを算出する数式は、式（２）には限らない。例えば、式（２）における滞在時間ＰＶ及び最大滞在時間ＭＶから、各々に対応するスポットでの歩行時間を除いたうえで式（２）を適用する形態としてもよく、ゆったり度ＹＤを示す他の物理量の単独又は滞在時間ＰＶを含む当該物理量の複数の組み合わせを適用する形態としてもよい。
【００４７】
更に、導出部２２は、第３の指標値として、対象者がスポットにおいて、どれだけぶらぶらしていたかのレベルの高さを示す指標値（以下、「ぶらぶら度」という。）ＢＤを導出する。本実施形態では、ぶらぶら度ＢＤを、次の式（３）により整数値（本実施形態では、小数点以下一桁を四捨五入した値）として算出する。式（３）におけるＰＨは対象者のスポットにおける歩数を表し、ＭＨは、当該スポットに対応して登録されている上記歩数の最大値である最大歩数を表す。ここで、歩数ＰＨが、最大歩数ＭＨを上回っている場合は、当該歩数ＰＨに最大歩数ＭＨを置き換える。
【００４８】
【数３】
2020109600.tif 000005
【００４９】
即ち、式（３）は、歩数ＰＨの最大歩数ＭＨに対する割合を、最大値が１０となる１０段階の値に換算した値として算出する。例えば、歩数ＰＨが１５００歩で、最大歩数ＭＨが３０００歩である場合、ぶらぶら度ＢＤは、５（＝（１５００／３０００）×１０）となる。
【００５０】
なお、ぶらぶら度ＢＤを算出する数式は、式（３）には限らない。例えば、式（３）では、対象者の歩数ＰＨを用いているが、当該歩数ＰＨに代えて、対象とするスポットでの歩行時間といった、スポットでのぶらぶらしているレベルの高さを示す他の物理量を適用する形態としてもよく、歩数及び歩行時間等の複数の物理量を用いる形態としてもよい。
【００５１】
更に、導出部２２は、以上の３種類の指標値から、対象者毎の総合的な指標値である総合指標値ＳＤを導出する。本実施形態では、総合指標値ＳＤを、次の式（４）によって整数値（本実施形態では、小数点以下一桁を四捨五入した値）として算出する。
【００５２】
【数４】
2020109600.tif 000006
【００５３】
即ち、式（４）は、わざわざ度ＷＤ、ゆったり度ＹＤ、及びぶらぶら度ＢＤの平均値を算出するものとされている。なお、総合指標値ＳＤを算出する数式は、式（４）には限らない。例えば、式（４）では、わざわざ度ＷＤ、ゆったり度ＹＤ、及びぶらぶら度ＢＤの単純平均値を算出しているが、この単純平均値に代えて、加重平均値を算出する形態としてもよい。
【００５４】
なお、以上のように、本実施形態では、わざわざ度ＷＤ、ゆったり度ＹＤ、ぶらぶら度ＢＤ、及び総合指標値ＳＤの各指標値の導出に数式を用いる場合について説明したが、この形態に限らず、例えば、各指標値ともにテーブル変換により導出する形態としてもよい。
【００５５】
そして、登録部２３は、導出部２２によって導出された指標値（本実施形態では、わざわざ度ＷＤ、ゆったり度ＹＤ、ぶらぶら度ＢＤ、及び総合指標値ＳＤ）を、他者が参照可能な状態で記憶部１３に登録する。
【００５６】
一方、導出部２２は、登録部２３により複数の対象者に対応して登録された複数の評価値を用いて、当該複数の対象者による総合的な評価値である総合評価値を更に導出する。
【００５７】
本実施形態に係る導出部２２では、総合評価値として、わざわざ度ＷＤの総合評価値ＷＳ、ゆったり度ＹＤの総合評価値ＹＳ、ぶらぶら度ＢＤの総合評価値ＢＳ、及び総合指標値ＳＤの総合評価値ＳＳを次の式（５）〜式（８）により算出する。なお、式（５）〜式（８）におけるｎはデータ数（＝指標値の数）、ＷＤｉはｉ番目のわざわざ度ＷＤ、ＹＤｉはｉ番目のゆったり度ＹＤ、ＢＤｉはｉ番目のぶらぶら度ＢＤ、ＳＤｉはｉ番目の総合指標値ＳＤ、を各々表す。
【００５８】
【数５】
2020109600.tif 000007
【００５９】
【数６】
2020109600.tif 000008
【００６０】
【数７】
2020109600.tif 000009
【００６１】
【数８】
2020109600.tif 000010
【００６２】
即ち、本実施形態では、各総合評価値として、対応する指標値の平均値を算出している。なお、各総合評価値を算出する数式は、式（５）〜式（８）には限らない。例えば、式（５）〜式（８）では、総合評価値として、全対象者の対応する指標値の単純平均値を算出しているが、これに代えて、全対象者の対応する指標値の加重平均値を算出する形態としてもよい。なお、この場合、直近のデータほど重み値を大きく設定して加重平均値を算出する形態とすることが好ましい。また、例えば、各総合評価値ともにテーブル変換により導出する形態としてもよい。
【００６３】
そして、登録部２３は、導出部２２によって導出された総合評価値（本実施形態では、総合評価値ＷＳ、総合評価値ＹＳ、総合評価値ＢＳ、及び総合評価値ＳＳ）を他者が参照可能な状態で記憶部１３に更に登録する。
【００６４】
一方、本実施形態に係る受付部２４は、対象者からの評価値に対する調整指示、スポットについてのコメント（以下、「スポットコメント」という。）、及びスポットに関する他のスポットを推薦するコメント（以下、「推薦コメント」という。）を受け付ける。そして、登録部２３は、受付部２４によって受け付けられた情報を、他者が参照可能な状態で記憶部１３に更に登録する。このように、本実施形態では、上記調整指示、スポットコメント、及び推薦コメントの３種類の情報を受け付けて登録しているが、これに限らない。例えば、これら３種類のうち、何れか１つ又は２つの組み合わせを受け付けて登録する形態としてもよい。
【００６５】
更に、本実施形態に係る付与部２５は、受付部２４によって受け付けられた情報に応じて、対象者にインセンティブを付与する。なお、本実施形態では、上記インセンティブとして仮想通貨のトークンを適用している。ここで、本実施形態における仮想通貨は、回遊促進支援システム９０が取り扱い対象としている対象領域（以下、「取り扱い対象領域」という。）に存在する店舗によって使用することができるものとして予め用意されている。その財源は、取り扱い対象領域を管轄する自治体や上記店舗等によって賄われるものとされている。
【００６６】
一方、本実施形態に係る対象者端末３０は、送信部４４及び表示制御部４６を含む。対象者端末３０のＣＰＵ３１が回遊促進端末処理プログラム３３Ａ及び評価値表示処理プログラム３３Ｂを実行することで、送信部４４及び表示制御部４６として機能する。
【００６７】
本実施形態に係る送信部４４は、回遊促進支援装置１０の取得部２１に上記物理量を送信する。また、表示制御部４６は、回遊促進支援装置１０の登録部２３によって登録された情報を表示部３５に表示する制御を行う。
【００６８】
次に、図３を参照して、本実施形態に係る対象領域情報データベース１３Ｃについて説明する。図３に示すように、本実施形態に係る対象領域情報データベース１３Ｃは、対象領域名、対象領域位置、ソーシャルヒートマップ画像、回遊経路、スポット名、スポット位置、及び総合評価値の各情報が記憶される。
【００６９】
上記対象領域名は、上記取り扱い対象領域の名称を示す情報であり、上記対象領域位置は、対応する対象領域が存在する位置を示す情報である。本実施形態では、対象領域を、平面視の円形で囲まれる領域としており、上記対象領域位置を、当該円形の領域の平面視の外接矩形における一対の対角の２次元座標系における座標位置として規定している。但し、この形態に限らず、例えば、上記円形に代えて、楕円形、矩形等の他の形状を適用する形態としてもよいし、上記２次元座標系における座標位置に代えて、緯度及び経度を適用する形態としてもよい。
【００７０】
また、上記ソーシャルヒートマップ画像は、対応する対象領域の通常表示される地図画像に重ねて濃度や色が異なる領域を表示することで、対象者のカテゴリーに適合した情報が多い場所を強調した地図を示す画像である。即ち、本実施形態では、各対象者に対して予め複数の設問に回答してもらい、回答結果を分析して分類することにより各対象者のカテゴリーを事前に決定する。そして、本実施形態に係るソーシャルヒートマップ画像は、利用する対象者のカテゴリーに適合した情報（本実施形態では、ＳＮＳ（Social Networking Service）において投稿された情報。）が多い場所ほど濃度が高くなるように地図画像に重ねて表示する。但し、この濃度を変える形態に限らず、高い濃度から低い濃度の順に、赤色→黄色→緑色といったように色を変える形態としてもよい。
【００７１】
本実施形態では、回遊促進支援装置１０がネットワーク８０等を介して、各取り扱い対象領域のソーシャルヒートマップ画像の最新版を提供するサーバに接続されており、このサーバからソーシャルヒートマップ画像の最新版を取得して、対象領域情報データベース１３Ｃを逐次更新するものとしている。但し、この形態に限らず、回遊促進支援装置１０自身により、各対象者に対応するソーシャルヒートマップ画像を逐次更新する形態としてもよい。
【００７２】
また、上記回遊経路は、対応する対象領域において回遊することを推奨する経路を示す情報であり、上記スポット名は、対応する対象領域に含まれるスポットの名称を示す情報であり、上記スポット位置は、対応するスポットが存在する位置を示す情報である。本実施形態では、上記スポットを、平面視の円形で囲まれる領域としており、上記スポット位置を、当該円形の領域の平面視の外接矩形における一対の対角の２次元座標系における座標位置として規定している。但し、この形態に限らず、例えば、上記円形に代えて、楕円形、矩形等の他の形状を適用する形態としてもよいし、上記２次元座標系における座標位置に代えて、緯度及び経度を適用する形態としてもよい。
【００７３】
なお、本実施形態では、上記回遊経路及びスポットを、ＳＮＳで投稿された情報からＡＩ（Artificial Intelligence）技術等を用いて抽出しているが、これに限らない。例えば、紀行番組、グルメ番組、街歩き番組（所謂街ブラ番組）等の各地のスポットを紹介するテレビ番組のホームページから、回遊経路及びスポットを抽出する形態等としてもよい。
【００７４】
更に、上記総合評価値は、対応するスポットに対する、上述した総合評価値（本実施形態では、総合評価値ＷＳ、総合評価値ＹＳ、総合評価値ＢＳ、及び総合評価値ＳＳ）を示す情報である。なお、以下では、対象領域情報データベース１３Ｃに記憶されている情報を総括して「対象領域情報」という。
【００７５】
次に、図４を参照して、本実施形態に係る対象者情報データベース１３Ｄについて説明する。図４に示すように、本実施形態に係る対象者情報データベース１３Ｄは、対象者端末ＩＤ（IDentification）、対象者名、勤務先位置、訪問スポット、訪問日時、指標値、スポットコメント、推薦コメント、及びインセンティブの各情報が記憶される。
【００７６】
上記対象者端末ＩＤは、回遊促進支援システム９０を利用する各対象者が所有する対象者端末３０を識別するために割り振られた情報であり、上記対象者名は、対応する対象者の名前を示す情報であり、上記勤務先位置は、対応する対象者の勤務先の位置を示す情報である。
【００７７】
また、上記訪問スポットは、対応する対象者が訪問したスポットの名称を示す情報であり、訪問日時は、対応する対象者が対応するスポットを訪問した日時を示す情報である。また、上記指標値は、対応する対象者の対応するスポットを訪問した際の当該スポットに関する上述した指標値（本実施形態では、わざわざ度ＷＤ、ゆったり度ＹＤ、ぶらぶら度ＢＤ、及び総合指標値ＳＤ）を示す情報である。
【００７８】
また、上記スポットコメントは、対応する対象者が対応するスポットを訪問した際に入力された、当該スポットに関する感想等のコメントを示す情報である。また、上記推薦コメントは、対応する対象者が対応するスポットを訪問した際に入力された、当該スポットに関して推薦する他のスポットを示す情報である。更に、上記インセンティブは、対応する対象者に付与されたインセンティブの値を示す情報である。なお、以下では、対象者情報データベース１３Ｄに記憶されている情報を総括して「対象者情報」という。
【００７９】
次に、図５〜図１１を参照して、本実施形態に係る回遊促進支援システム９０の作用を説明する。まず、図５を参照して、対象者端末３０の作用を説明する。何れかの対象者端末３０のＣＰＵ３１が回遊促進端末処理プログラム３３Ａを実行することによって、図５に示す回遊促進端末処理が実行される。図５に示す回遊促進端末処理は、例えば、何れかの対象者（以下、「実施対象者」という。）から自身の対象者端末３０の入力部３４を介して、回遊促進端末処理の実行指示が入力された場合に実行される。
【００８０】
図５のステップ２００で、ＣＰＵ３１は、ＧＰＳ４０から位置を示す情報（以下、「位置情報」という。）を取得し、次のステップ２０２で、送信部４４は、取得した位置情報を、無線通信部４２を介して回遊促進支援装置１０に送信する。
【００８１】
回遊促進支援装置１０は、後述する回遊促進支援処理（図６も参照。）において、対象者端末３０から受信した位置情報により示される位置が含まれる対象領域（以下、「実施対象領域」という。）に関する対象領域情報（以下、「実施対象領域情報」という。）を対象領域情報データベース１３Ｃから読み出す。また、回遊促進支援装置１０は、実施対象領域情報に基づき、後述する初期画面を示す情報（以下、「初期画面情報」という。）を作成する。そして、回遊促進支援装置１０は、実施対象領域情報及び初期画面情報を、位置情報の送信元の対象者端末３０（以下、「実施対象者端末」という。）に送信する。
【００８２】
そこで、次のステップ２０４で、ＣＰＵ３１は、回遊促進支援装置１０からの初期画面情報及び実施対象領域情報の受信待ちを行い、次のステップ２０６で、表示制御部４６は、受信した初期画面情報により示される初期画面を表示部３５により表示する制御を行う。
【００８３】
図７には、本実施形態に係る初期画面の一例が示されている。図７に示すように、本実施形態に係る初期画面は、実施対象領域のソーシャルヒートマップ画像に対して、実施対象領域に含まれる各スポットのスポット名及び回遊経路が、対応する位置に重畳されて表示される。そこで、実施対象者は、初期画面で表示された回遊経路に従って回遊を開始する。なお、錯綜を回避するために、本実施形態では、実施対象領域の候補が１つのみの場合について説明するが、これに限らない。例えば、実施対象領域の候補が複数存在する場合、含まれるスポットの総合評価値ＳＳの合計値が最も大きい対象領域や、対象領域情報データベース１３Ｃに直近に登録された対象領域等を実施対象領域として選択的に適用する形態としてもよい。また、図７に示すように、本実施形態に係る初期画面では、実施対象領域に含まれる各スポットの外接円を破線で表示しているが、これに限らないことは言うまでもない。
【００８４】
次のステップ２０８で、ＣＰＵ３１は、ＧＰＳ４０から位置情報を取得する。次のステップ２１０で、ＣＰＵ３１は、取得した位置情報により示される位置が、受信した実施対象領域情報に含まれる何れかのスポットの領域に達するまで待機することにより、実施対象者が実施対象領域における何れかのスポットの領域に到着するまで待機する。
【００８５】
次のステップ２１２で、ＣＰＵ３１は、加速度センサ４１からの出力信号を用いた実施対象者の歩数の計数を開始すると共に、内蔵されている図示しない計時部を用いた計時を開始し、次のステップ２１４で、ＣＰＵ３１は、ＧＰＳ４０から位置情報を取得する。次のステップ２１６で、ＣＰＵ３１は、取得した位置情報により示される位置が、ステップ２１０の処理において到達したと判定されたスポット（以下、「離脱スポット」という。）から離脱する位置となるまで待機する。
【００８６】
次のステップ２１８で、ＣＰＵ３１は、ステップ２１２の処理によって開始した歩数の計測及び計時を停止する。以上のステップ２１２〜ステップ２１８の処理により、ＣＰＵ３１は、実施対象者の離脱スポットでの歩数ＰＨ、及び実施対象者の離脱スポットでの滞在時間ＰＶを取得することができる。
【００８７】
次のステップ２２０で、送信部４４は、離脱スポットに対応するスポット名、歩数ＰＨ及び滞在時間ＰＶ（以下、当該スポット名、歩数ＰＨ及び滞在時間ＰＶを、「指標基礎情報」という。）を、無線通信部４２を介して回遊促進支援装置１０に送信する制御を行う。回遊促進支援装置１０は、実施対象者端末から指標基礎情報を受信すると、後述する回遊促進支援処理において、受信した指標基礎情報に基づいて、実施対象者に関する、上述した４種類の指標値（式（１）〜式（４）参照。）を導出し、実施対象者端末に送信する。
【００８８】
そこで、次のステップ２２２で、表示制御部４６は、回遊促進支援装置１０からの各指標値の受信待ちを行い、次のステップ２２４で、表示制御部４６は、受信した指標値を主として表示する指標値表示画面を表示部３５により表示する制御を行う。
【００８９】
図８には、本実施形態に係る指標値表示画面の一例が示されている。図８に示すように、本実施形態に係る指標値表示画面は、実施対象領域の名称及び実施対象者の名前を表示し、かつ、実施対象者の上記４種類の指標値を調整可能に表示する。また、指標値表示画面は、スポットコメントの入力領域３５Ｂ及び推薦コメントの入力領域３５Ｃを表示する。なお、本実施形態に係る指標値表示画面では、図８に示すように、わざわざ度ＷＤ、ゆったり度ＹＤ、及びぶらぶら度ＢＤの各指標値については、対応する指標値の大きさに応じて、顔の表情を模擬した画像３５Ｆを表示する。
【００９０】
図８に示される指標値表示画面が表示部３５に表示されると、実施対象者は、上記４種類の指標値について、自身の離脱スポットに対する実際の状況に合致していない指標値がある場合は、当該指標値を調整する指示入力を行う。本実施形態では、上記指標値を調整する指示入力を、指標値を増加させたい場合は増加ボタン３５Ｄを指定し、指標値を低下させたい場合は低下ボタン３５Ｅを指定することにより行っているが、これに限らない。例えば、調整したい指標値の表示領域に調整後の値を直接入力する形態等としてもよい。また、実施対象者は、実施対象領域の離脱スポットに関する感想等のコメントを入力する場合、当該コメントを入力領域３５Ｂに入力する。更に、実施対象者は、実施対象領域の離脱スポットに関して推薦する他のスポットを入力する場合、当該スポットの名称を入力領域３５Ｃに入力する。そして、実施対象者は、指標値表示画面の表示を終了する場合は、終了ボタン３５Ａを指定する。
【００９１】
そこで、次のステップ２２６で、ＣＰＵ３１は、終了ボタン３５Ａが指定されるまで待機する。次のステップ２２８で、送信部４４は、指標値表示画面において入力された各種情報（以下、「入力情報」という。）、及び終了ボタン３５Ａが指定された旨を示す情報（以下、「終了情報」という。）を、無線通信部４２を介して回遊促進支援装置１０に送信する。なお、指標値表示画面において入力情報が何ら入力されることなく、終了ボタン３５Ａが指定された場合、送信部４４は、終了情報のみを回遊促進支援装置１０に送信する。
【００９２】
次のステップ２３０で、ＣＰＵ３１は、実施対象領域の全てのスポットについて、以上の処理が終了したか否かを判定し、否定判定となった場合はステップ２０６に戻る一方、肯定判定となった時点で本回遊促進端末処理を終了する。
【００９３】
次に、図６を参照して、回遊促進支援装置１０の作用を説明する。回遊促進支援装置１０のＣＰＵ１１が回遊促進支援処理プログラム１３Ａを実行することによって、図６に示す回遊促進支援処理が実行される。図６に示す回遊促進支援処理は、例えば、回遊促進支援装置１０の操作者から入力部１４を介して、回遊促進支援処理の実行指示が入力された場合に実行される。
【００９４】
図６のステップ３００で、取得部２１は、何れかの対象者端末３０から位置情報が受信されるまで待機し、次のステップ３０２で、導出部２２は、受信した位置情報により示される位置が含まれる対象領域に関する対象領域情報（＝実施対象領域情報）及び対象者情報を対象領域情報データベース１３Ｃ及び対象者情報データベース１３Ｄから読み出す。
【００９５】
次のステップ３０４で、導出部２２は、読み出した実施対象領域情報を用いて、上述した初期画面情報を作成する。次のステップ３０６で、ＣＰＵ１１は、作成した初期画面情報及び読み出した実施対象領域情報を、実施対象者端末に通信Ｉ／Ｆ部１８及びネットワーク８０を介して送信する制御を行う。初期画面情報及び実施対象領域情報を受信すると、実施対象者端末では、上述した回遊促進端末処理により、訪問した対象領域の各スポットから離脱した場合に、指標基礎情報を回遊促進支援装置１０に送信する。
【００９６】
そこで、次のステップ３０８で、取得部２１は、実施対象者端末から指標基礎情報が受信されるまで待機し、次のステップ３１０で、導出部２２は、式（１）〜式（４）を用いて、実施対象者についての上記４種類の指標値を算出する。
【００９７】
なお、ステップ３１０の処理を実行する場合に、導出部２２は、実施対象者端末の対象者端末ＩＤに対応する勤務先位置を対象者情報データベース１３Ｄから読み出し、読み出した勤務先位置を上述した起点場所とする。また、導出部２２は、受信した指標基礎情報に含まれるスポット名に対応するスポット位置を対象領域情報データベース１３Ｃから読み出し、読み出したスポット位置により示される領域の何れかの位置（本実施形態では、当該領域の中心位置）を、起点距離ＰＤ及び起点移動時間ＰＴを導出する場合のスポットの位置とする。そして、導出部２２は、これらの情報を用いて、式（１）式によりわざわざ度ＷＤを算出する。
【００９８】
また、導出部２２は、受信した指標基礎情報に含まれる滞在時間ＰＶを用いて式（２）式によりゆったり度ＹＤを算出する。また、導出部２２は、受信した指標基礎情報に含まれる歩数ＰＨを用いて式（３）式によりぶらぶら度ＢＤを算出する。更に、導出部２２は、算出したわざわざ度ＷＤ、ゆったり度ＹＤ、及びぶらぶら度ＢＤを式（４）に代入することで、総合指標値ＳＤを算出する。
【００９９】
なお、導出部２２は、式（１）〜式（３）により適用する起点距離ＰＤ、起点移動時間ＰＴ、滞在時間ＰＶ、及び歩数ＰＨの各値が、それまでに登録した、対応する値の最大値より大きい場合、適用する値に、対応する値の最大値を置き換えることにより、当該最大値を更新する。この最大値の更新を、本実施形態では、記憶部１３の所定領域への最大値の書き込み（上書き）により行う。
【０１００】
次のステップ３１２で、ＣＰＵ１１は、導出した各指標値を、実施対象者端末に送信する制御を行う。各指標値を受信すると、実施対象者端末では、上述したように、回遊促進端末処理によって指標値表示画面を表示し、当該指標値表示画面上で指標値の調整、スポットコメント、及び推薦コメントを受け付ける。そして、指標値の調整、スポットコメント、及び推薦コメントのうちの少なくとも１つが受け付けられた場合には上述した入力情報及び終了情報を、１つも受け付けられなかった場合には終了情報のみを、各々回遊促進支援装置１０に送信する。
【０１０１】
そこで、次のステップ３１４で、受付部２４は、実施対象者端末から終了情報を受信するまで待機する。次のステップ３１６で、付与部２５は、終了情報と共に入力情報を受信し、かつ、入力情報に実施対象者による指標値の調整に関する情報が含まれているか否かを判定し、肯定判定となった場合はステップ３１８に移行する。
【０１０２】
ステップ３１８で、付与部２５は、実施対象者によって自身の指標値が調整された場合に当該実施対象者に付与するものとして予め定められた値のインセンティブ（本実施形態では、上述した仮想通貨のトークン。以下、同様。）を付与する。なお、本実施形態では、上記インセンティブの付与を、付与したインセンティブの値を、対象者情報データベース１３Ｄにおける、実施利用者に対応するインセンティブの既登録の値に対して加算することによって行う。
【０１０３】
次のステップ３２０で、登録部２３は、入力情報に含まれる指標値の調整に関する情報に基づいて、調整後の指標値を対象者情報データベース１３Ｄの実施対象者の対応する領域に記憶（登録）し、その後にステップ３３０に移行する。
【０１０４】
一方、ステップ３１６において否定判定となった場合、即ち、実施対象者端末から入力情報を受信していないか、又は、受信していても指標値の調整に関する情報が入力情報に含まれていない場合、ステップ３２２に移行する。
【０１０５】
ステップ３２２で、付与部２５は、終了情報と共に入力情報を受信し、かつ、入力情報にスポットコメント及び推薦コメントの少なくとも一方が含まれているか否かを判定し、肯定判定となった場合はステップ３２４に移行する。
【０１０６】
ステップ３２４で、付与部２５は、入力情報に含まれているコメントに応じて当該実施対象者に付与するものとして予め定められた値のインセンティブを付与し、その後にステップ３２６に移行する。なお、本実施形態では、入力情報にスポットコメント及び推薦コメントの双方が含まれている場合に付与するインセンティブの値を、スポットコメント及び推薦コメントの何れか一方のみが含まれている場合に付与するインセンティブの値の２倍の値としている。但し、この形態に限らず、付与するインセンティブの値は、付与時点の実施対象領域における経済状況等に応じて適宜変更されるものとしてもよい。
【０１０７】
ステップ３２６で、登録部２３は、入力情報に含まれるスポットコメント及び推薦コメントの少なくとも一方を対象者情報データベース１３Ｄの対応する領域に記憶し、次のステップ３２８で、登録部２３は、ステップ３１０の処理によって導出した指標値を対象者情報データベース１３Ｄの実施対象者の対応する領域に記憶（登録）し、その後にステップ３３０に移行する。
【０１０８】
ステップ３３０で、導出部２２は、受信した指標基礎情報に含まれるスポット名に対応するスポットについて、それまでに対象者情報データベース１３Ｄに登録されている全ての指標値を読み出し、上述した式（５）〜式（８）を用いて上記４種類の総合評価値を算出する。そして、登録部２３は、導出部２２によって算出された総合評価値を、対象領域情報データベース１３Ｃの対応する領域に記憶することで、対応するスポットの総合評価値を更新する。
【０１０９】
次のステップ３３２で、ＣＰＵ１１は、実施対象領域の全てのスポットについてステップ３０８以降の処理が終了したか否かを判定し、否定判定となった場合はステップ３０８に戻る一方、肯定判定となった時点でステップ３３４に移行する。
【０１１０】
ステップ３３４で、ＣＰＵ１１は、予め定められた終了タイミングが到来したか否かを判定し、否定判定となった場合はステップ３００に戻る一方、肯定判定となった時点で本回遊促進支援処理を終了する。なお、本実施形態では、上記終了タイミングとして、回遊促進支援装置１０の操作者により、入力部１４を介して回遊促進支援処理の終了指示が入力されたタイミングを適用しているが、これに限るものでない。
【０１１１】
ところで、本実施形態に係る回遊促進支援システム９０では、実施対象者が実施対象領域を回遊している場合に、実施対象領域の何れかのスポットを初期画面上で指定すると、当該スポットの総合評価値を表示する総合評価値表示機能を有している。
【０１１２】
次に、図９〜図１１を参照して、総合評価値表示機能の実行時における回遊促進支援システム９０の作用を説明する。まず、図９を参照して、対象者端末３０の作用を説明する。何れかの対象者端末３０のＣＰＵ３１が評価値表示処理プログラム３３Ｂを実行することによって、図９に示す評価値表示処理が実行される。図９に示す評価値表示処理は、実施対象者が対象者端末３０の入力部３４を介して、初期画面（図７も参照。）上で何れかのスポットを指定した場合に実行される。
【０１１３】
図９のステップ４００で、送信部４４は、指定されたスポット（以下、「指定スポット」という。）を示す情報（以下、「指定スポット情報」という。）を、無線通信部４２を介して回遊促進支援装置１０に送信する制御を行う。指定スポット情報を受信すると、回遊促進支援装置１０は、後述する総合評価値送信処理の実行を開始する。そして、回遊促進支援装置１０は、受信した指定スポット情報に対応する総合評価値と、指定スポットに関して実施対象者を除く対象者が入力したスポットコメントと、指定スポットに対応する実施対象者を除く対象者の指標値とを、実施対象者端末に送信する。
【０１１４】
そこで、次のステップ４０２で、表示制御部４６は、指定スポットに対応する総合評価値、スポットコメント、及び指標値を受信するまで待機する。次のステップ４０４で、表示制御部４６は、受信した総合評価値を主として表示する総合評価値表示画面を表示部３５により表示する制御を行う。
【０１１５】
図１１には、本実施形態に係る総合評価値表示画面の一例が示されている。図１１に示すように、本実施形態に係る総合評価値表示画面は、指定スポットの名称を表示し、かつ、指定スポットの４種類の総合評価値を表示する。また、総合評価値表示画面は、指定スポットに関する、実施対象者を除く対象者のスポットコメント及び指標値を表示する。なお、本実施形態に係る総合評価値表示画面でも、指標値表示画面と同様に、わざわざ度ＷＤ、ゆったり度ＹＤ、及びぶらぶら度ＢＤの各指標値に対応する総合評価値については、対応する総合評価値の大きさに応じて、顔の表情を模擬した画像を表示する。
【０１１６】
図１１に示される総合評価値表示画面が表示部３５に表示されると、実施対象者は、当該総合評価値表示画面を参照した後、終了ボタン３５Ａを指定する。
【０１１７】
そこで、次のステップ４０６で、表示制御部４６は、終了ボタン３５Ａが指定されるまで待機した後、本評価値表示処理を終了する。
【０１１８】
次に、図１０を参照して、回遊促進支援装置１０の作用を説明する。回遊促進支援装置１０のＣＰＵ１１が総合評価値送信処理プログラム１３Ｂを実行することによって、図１０に示す総合評価値送信処理が実行される。図１０に示す総合評価値送信処理は、実施対象者端末から指定スポット情報が受信された場合に実行される。
【０１１９】
図１０のステップ５００で、ＣＰＵ１１は、受信した指定スポット情報により示される指定スポットに対応する総合評価値を対象領域情報データベース１３Ｃから読み出す。また、ＣＰＵ１１は、指定スポットに関し、かつ、実施対象者を除く全ての対象者のスポットコメントを対象者情報データベース１３Ｄから読み出す。さらに、ＣＰＵ１１は、指定スポットに関し、かつ、実施対象者を除く全ての対象者の指標値を対象者情報データベース１３Ｄから読み出す。
【０１２０】
そして、次のステップ５０２で、ＣＰＵ１１は、読み出した総合評価値、スポットコメント及び指標値の各情報を、通信Ｉ／Ｆ部１８を介して実施対象者端末に送信する制御を行い、その後に本総合評価値送信処理を終了する。
【０１２１】
なお、本実施形態に係る回遊促進支援装置１０によって得られた各指標値及び各総合評価値等の各種情報は、都市計画や、地方計画（所謂まちづくり）を行う場合等にも有効に活用することができる。
【０１２２】
以上説明したように、本実施形態によれば、回遊の対象地（スポット）に対する対象者の実際の行動による当該対象地に対する興味の度合いを示す物理量を取得する取得部２１と、取得部２１によって取得された物理量を用いて、対象者の対象地に対する評価値を導出する導出部２２と、導出部２２によって導出された評価値を、他者が参照可能な状態で記憶部１３に登録する登録部２３と、を備えている。従って、効果的に回遊を促進することができる。
【０１２３】
また、本実施形態によれば、上記物理量に、対象者の対象地における滞在時間（滞在時間ＰＶ）、対象地までの所定の起点場所からの距離（起点距離ＰＤ）、及び対象地までの上記起点場所からの移動時間（起点移動時間ＰＴ）を含んでいる。従って、上記物理量として対象者の興味の度合いを示す定性的な物理量を用いる場合に比較して、より簡易に評価値を導出することができる。
【０１２４】
また、本実施形態によれば、導出部２２により、評価値を、上記滞在時間、上記距離、及び上記移動時間の何れか１つ、又は複数の組み合わせを用いて導出している。従って、何れか１つを用いる場合は、より簡易に、複数の組み合わせを用いる場合は、より高精度に、各々評価値を導出することができる。
【０１２５】
また、本実施形態によれば、導出部２２が、登録部２３により複数の対象者に対応して登録された複数の評価値を用いて、複数の対象者による総合的な評価値である総合評価値を更に導出し、登録部２３により、導出部２２によって導出された総合評価値を他者が参照可能な状態で記憶部１３に更に登録している。従って、より精度の高い評価値を他者が参照することができるようになる結果、より効果的に回遊を促進することができる。
【０１２６】
また、本実施形態によれば、対象者からの、評価値に対する調整指示、対象地についてのコメント（スポットコメント）、及び対象地に関するスポットを推薦するコメント（推薦コメント）の少なくとも１つの情報を受け付ける受付部２４を備え、登録部２３は、受付部２４によって受け付けられた情報を、他者が参照可能な状態で記憶部１３に更に登録している。従って、より効果的に回遊を促進することができる。
【０１２７】
更に、本実施形態によれば、受付部２４によって受け付けられた情報に応じて、対象者にインセンティブを付与する付与部２５を更に備えている。従って、より効果的に回遊を促進することができる。
【０１２８】
なお、上記実施形態では、指標値表示画面及び総合評価値表示画面を初期画面とは異なる画面として表示する場合について説明したが、これに限定されない。例えば、指標値表示画面及び総合評価値表示画面を初期画面のポップアップ画面として表示する形態としてもよい。この場合、指標値表示画面を初期画面のポップアップ画面として表示する場合は、初期画面における離脱スポットの位置から、いわゆる吹き出しの形で指標値表示画面の少なくとも一部を表示する形態を例示することができる。同様に、総合評価値表示画面を初期画面のポップアップ画面として表示する場合は、初期画面における指定スポットの位置から、いわゆる吹き出しの形で総合評価値表示画面の少なくとも一部を表示する形態を例示することができる。
【０１２９】
また、上記実施形態では、実施対象者端末が存在する位置を含む領域を対象領域として自動的に適用する場合について説明したが、これに限定されない。例えば、実施対象者端末が存在する位置とは離れた遠隔地を、実施対象者が電子地図上で指定したり、当該遠隔地の名称を入力したりすること等によって対象領域を指定する形態としてもよい。また、対象者の嗜好の傾向を示す情報を回遊促進支援装置１０で予め取得しておき、対象者に対して、当該対象者の嗜好に応じた対象領域の情報を随時提供する形態としてもよい。
【０１３０】
また、上記実施形態では、実施対象者に対し、自身の指標値の調整、スポットコメント及び推薦コメントの入力に対してインセンティブを付与する場合について説明したが、これに限定されない。例えば、推薦コメントとして入力したスポットに対する総合評価値が所定閾値より大きくなった場合に、当該スポットを入力した対象者にインセンティブを付与する形態としてもよい。
【０１３１】
また、上記実施形態では、起点場所として勤務先の位置を適用した場合について説明したが、これに限定されない。例えば、起点場所として実施対象者の自宅の所在地を適用する形態としてもよい。また、起点場所として、回遊促進支援処理を平日に実行する場合は、起点場所として勤務先の位置を適用し、回遊促進支援処理を休日に実行する場合は、起点場所として自宅の所在地を適用する形態としてもよい。
【０１３２】
また、上記実施形態では、実施対象者のスポット毎の指標値を、当該スポットを離脱したタイミングで導出して表示する場合について説明したが、これに限定されない。例えば、実施対象者が実施対象領域を離脱したタイミングで指標値を導出して表示する形態としてもよい。
【０１３３】
また、上記実施形態では、各スポットで付与するインセンティブを同一とする場合について説明したが、これに限定されない。例えば、スポットによって付与するインセンティブを異なるようにする形態としてもよい。この場合、例えば、人が集まり難いスポットほどインセンティブを多くする形態等を例示することができる。
【０１３４】
また、上記実施形態では、指標値として、わざわざ度ＷＤ、ゆったり度ＹＤ、ぶらぶら度ＢＤ、及び総合指標値ＳＤの４種類を適用した場合について説明したが、これに限定されない。例えば、スポットが店舗である場合には、ぶらぶら度ＢＤを適用せず、わざわざ度ＷＤ、ゆったり度ＹＤ、及びこれらの指標値のみを加味した総合指標値ＳＤの３種類の指標値のみを用いる形態としてもよい。
【０１３５】
また、上記実施形態では、回遊促進支援装置１０において回遊促進支援処理を実行する場合について説明したが、これに限定されない。例えば、各対象者端末３０によって回遊促進支援処理を実行する形態としてもよい。この形態の場合、本発明の回遊促進支援装置が対象者端末３０に含まれることになる。
【０１３６】
また、上記実施形態では、ソーシャルヒートマップ画像として、対象者のカテゴリーに適合した情報が多い場所を強調した地図を示す画像を適用した場合について説明したが、これに限定されない。例えば、総合評価値が高いスポットほど赤味が濃い画像をソーシャルヒートマップ画像として適用する形態としてもよい。
【０１３７】
また、上記実施形態では、スポットコメントや推薦コメントを文字情報のみで入力する場合について説明したが、これに限定されない。例えば、これらのコメントを、マイク３９を用いて音声情報として入力する形態としてもよいし、推薦コメントについては、推薦するスポットをカメラ３８によって撮影することで画像情報として入力する形態としてもよい。
【０１３８】
また、上記実施形態では、わざわざ度ＷＤ、ゆったり度ＹＤ及びぶらぶら度ＢＤの各指標値を、対応する物理量の最大値に対する割合として算出しているが、これに限らず、例えば、当該最大値を用いることなく、当該物理量そのものを指標値として適用する形態としてもよい。
【０１３９】
その他、式（１）〜式（８）の各演算式は一例であり、本発明の主旨を逸脱しない範囲内において、適宜変更して適用することができることは言うまでもない。
【０１４０】
また、上記実施形態において、例えば、取得部２１、導出部２２、登録部２３、受付部２４、付与部２５、送信部４４、表示制御部４６の各処理を実行する処理部（processing unit）のハードウェア的な構造としては、次に示す各種のプロセッサ（processor）を用いることができる。上記各種のプロセッサには、前述したように、ソフトウェア（プログラム）を実行して処理部として機能する汎用的なプロセッサであるＣＰＵに加えて、ＦＰＧＡ（Field-Programmable Gate Array）等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【０１４１】
処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、処理部を１つのプロセッサで構成してもよい。
【０１４２】
処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが処理部として機能する形態がある。第２に、システムオンチップ（System On Chip：SoC）等に代表されるように、処理部を含むシステム全体の機能を１つのＩＣ（Integrated Circuit）チップで実現するプロセッサを使用する形態がある。このように、処理部は、ハードウェア的な構造として、上記各種のプロセッサの１つ以上を用いて構成される。
【０１４３】
更に、これらの各種のプロセッサのハードウェア的な構造としては、より具体的には、半導体素子などの回路素子を組み合わせた電気回路（circuitry）を用いることができる。
【符号の説明】
【０１４４】
１０  回遊促進支援装置
１１  ＣＰＵ
１２  メモリ
１３  記憶部
１３Ａ  回遊促進支援処理プログラム
１３Ｂ  総合評価値送信処理プログラム
１３Ｃ  対象領域情報データベース
１３Ｄ  対象者情報データベース
１４  入力部
１５  表示部
１６  媒体読み書き装置
１７  記録媒体
１８  通信Ｉ／Ｆ部
２１  取得部
２２  導出部
２３  登録部
２４  受付部
２５  付与部
３０  対象者端末
３１  ＣＰＵ
３２  メモリ
３３  記憶部
３３Ａ  回遊促進端末処理プログラム
３３Ｂ  評価値表示処理プログラム
３４  入力部
３５  表示部
３６  媒体読み書き装置
３７  記録媒体
３８  カメラ
３９  マイク
４０  ＧＰＳ
４１  加速度センサ
４２  無線通信部
４４  送信部
４６  表示制御部
【図１】
2020109600.tif 000011
【図２】
2020109600.tif 000012
【図３】
2020109600.tif 000013
【図４】
2020109600.tif 000014
【図５】
2020109600.tif 000015
【図６】
2020109600.tif 000016
【図７】
2020109600.tif 000017
【図８】
2020109600.tif 000018
【図９】
2020109600.tif 000019
【図１０】
2020109600.tif 000020
【図１１】
2020109600.tif 000021